(57)【要約】複数の実質的に平行で、細長い毛細管を保持するためのベースを含む、多数の小容量液体サンプルを保持するためのGigaMatrixプレートが開示される。それぞれの管は、前記ベースを貫通して延びる管腔を画定し、それぞれの管腔は5：1より大きいアスペクト比を有する。寸法的には、各管腔はおよそ500ミクロン未満の内径をもち、約5ミリメーターより長い長さをもっている。さらに、各管は、サンプルが管の管腔内部で蛍光を発するときはいつでも、そのサンプルから管に向かう光を光学的に区別するように機能する。また一方、管の中を軸方向に向かうサンプルからの光がそこから発せられて管およびその中のサンプルの光学的検出が行われる。
2005518533.tif 000002
【特許請求の範囲】
【請求項１】
以下を含むプレート：
第１の表面と第２の表面を有するベース；及び
該ベースにより保持されている複数の実質的に平行で細長い毛細管であって、その各々の管が、該ベースを貫通して前記第１の表面と前記第２の表面の間に延びる管腔を画定する内表面を有し、更に、その各々の管が、１本の縦軸を定義するとともにおよそ500ミクロン未満の内径でおよそ5：1より大きいアスペクト比を有し、更に、その各々の管が、前記管腔の内部からその前記内表面に向かって進む光と、前記管の光学的検出のために前記縦軸に沿って進む光を光学的に区別するように機能する上記複数の管。
【請求項２】
更に、前記ベースの配置および位置調節のために該ベース上に設けられた参照用しるしを有する請求項１に記載のプレート。
【請求項３】
前記各々の毛細管が以下を含む、請求項１に記載のプレート：
前記管腔を囲むとともにそれを画定する前記内表面を提供する内壁；および
該内壁の前記内表面に向かって進む光を吸収するための、該内壁及び該管腔を囲む外壁。
【請求項４】
前記内壁がスリーブガラスでできている請求項３に記載のプレート。
【請求項５】
前記外壁が過剰壁吸収（EMA）ガラスでできている請求項４に記載のプレート。
【請求項６】
前記管が、該管が不透明となるように熱処理可能であるスリーブガラスからできている請求項１に記載のプレート。
【請求項７】
前記プレートが、前記複数の毛細管中にサンプルを保持するために使用され、該複数のサンプルの少なくとも１つが励起されて蛍光発光し、該蛍光性サンプルを保持している管の検出のための光を放つ、請求項１に記載のプレート。
【請求項８】
以下を含む、光学的に検出可能なサンプルを保持するためのプレート：
第１の表面と、該第１の表面に対して実質的に平行である第２の表面を有するベースであって、該ベースによって複数の実質的に平行な貫通穴ウェルが保持されており、その各々の貫通穴ウェルが１本の縦軸を定義するとともに前記第１の表面と前記第２の表面の間に延びており、該複数の貫通穴ウェルが、前記ベースの第１の表面と第２の表面上で１平方ミリメーターあたりおよそ２より大きいウェル密度を有しているベース；および
前記各々の貫通穴ウェルに対して管腔を囲むとともにそれを画定する物質であって、該管腔中の前記縦軸から実質的に離れるように進む光と、該貫通穴ウェルの光学的検出のために該管腔中の前記縦軸に実質的に沿って進む光を光学的に区別する物質。
【請求項９】
前記ベースが、間質材でできている請求項８に記載のプレート。
【請求項１０】
前記各々の貫通穴ウェルが、およそ500ミクロン未満の内径でおよそ5：1より大きいアスペクト比を有する毛細管である請求項８に記載のプレート。
【請求項１１】
前記プレートが、前記複数の毛細管中にサンプルを保持するために使用され、該複数のサンプルの少なくとも１つが励起されて蛍光発光し、該蛍光性サンプルを保持している管の検出のための光を放つ、請求項１０に記載のプレート。
【請求項１２】
前記複数の毛細管の各々に対する前記貫通穴ウェルの前記物質が以下からなる、請求項１０に記載のプレート：
前記管腔を囲むとともにそれを画定する内壁；および
該内壁及び該管腔を囲む外壁。
【請求項１３】
前記内壁がスリーブガラスでできており、前記外壁が過剰壁吸収（EMA）ガラスでできている請求項１２に記載のプレート。
【請求項１４】
前記各々の管腔の前記内壁が、前記各々の貫通穴ウェルの毛細管作用を調節するためにコーティングされており、前記プレートが更に、前記ベースの配置及び位置調整のために該ベース上に設けられた参照用しるしを含む、請求項１２に記載のプレート。
【請求項１５】
以下のステップを含む、光学的検出のためのサンプルの調製方法：
第１の表面と第２の表面を有するベースを含み、且つ、該ベースにより保持された複数の実質的に平行で細長い毛細管を有するプレートであって、その各々の管が、該ベースを貫通して前記第１の表面と前記第２の表面の間に延びる管腔を画定する内表面を有し、更に、その各々の管が、１本の縦軸を定義するとともにおよそ500ミクロン未満の内径でおよそ5：1より大きいアスペクト比を有し、更に、その各々の管が、前記管腔内部の前記サンプルから該管腔の前記内表面に向かう光と、該サンプルから前記縦軸に沿って前記管及びその中に在る該サンプルの光学的検出のために進む光を光学的に区別するように機能する上記プレートを準備するステップ；および
前記ベースの前記第１の表面を、前記サンプルを液体溶液中に保持している容器の中に浸漬して、該サンプルを前記複数の管の中に毛細管作用により運ばせるステップ。
【請求項１６】
更に、前記プレートを加湿環境に入れて、前記液体溶液の蒸発を少なくするステップを含む、請求項１５に記載の方法。
【請求項１７】
更に、前記ベースの少なくとも一方の表面にキャップを配置して、前記液体溶液の蒸発を少なくするステップを含む、請求項１５に記載の方法。
【請求項１８】
更に、前記貫通穴ウェルの中に高蒸気圧液体を入れて、前記液体溶液が蒸発するのを防ぐステップを含む、請求項１５に記載の方法。
【請求項１９】
以下のステップを含んでなる、多数の少容量液体サンプルを保持するためのプレートの作製方法：
第１の長さを有し、且つ、スリーブガラスと間質材の同心円状の層により囲まれた円筒形状のコアガラスを含む細長い光ファイバーを準備するステップ；
前記光ファイバーを、前記第１の長さより長い第２の長さに引き伸ばすステップ；
前記引き伸ばした光ファイバーを複数のセクションに切断するステップ；
前記複数のセクションを積み重ねて、マルチをつくるステップ；
前記マルチの複数個を、それの前記複数のセクションを実質的に互いに平行にして押圧するステップ；
前記マルチの複数個を加熱して、隣接する前記複数のセクション間に在る前記間質材を融合させて一体化ユニットをつくるステップ；
前記一体化ユニットを切断して、前記各々のセクションに対して実質的に同じ所定長さを確立するステップ；および
前記一体化ユニットを酸に浸漬して、それから前記コアガラスをエッチングして、第１の表面と第２の表面を有するベースと、該ベースにより保持された複数の実質的に平行で細長い毛細管であって、その各々の管が、該ベースを貫通して前記第１の表面と前記第２の表面の間に延びる管腔を画定する内表面を有し、更に、その各々の管が１本の縦軸を定義するとともにおよそ500ミクロン未満の内径でおよそ5：1より大きいアスペクト比を有し、更に、その各々の管が、前記管腔の内部からその前記内表面に向かう光と、前記縦軸に沿って該管の光学的検出のために進む光を光学的に区別するように機能する上記複数の管を有する前記プレートをつくるステップ。
【請求項２０】
前記各々のセクションに対する前記所定長さが、およそ6ミリメーターである請求項１９に記載の方法。
【請求項２１】
更に、前記プレートを熱処理して、前記スリーブガラスを実質的に不透明にするステップを含んでなる請求項１９に記載の方法。
【請求項２２】
前記光ファイバーが更に、前記スリーブガラスと前記間質材の間に配置されたEMAガラスの同心円状の層を含む請求項１９に記載の方法。
【発明の詳細な説明】
【技術分野】
【０００１】
本発明は、特に、多数の比較的少容量の液体サンプルを保持するプレートに関する。より詳細には、本発明は、サンプルを個々に保持することができる複数の貫通した穴を有するウェルが形成されたプレートに関する。本発明は、特に、しかし限定するものではないが、比較的高いアスペクト比（ウェルの長さの内径に対する比）の貫通穴ウェルを比較的多数有するGigaMatrix(商標)[ギガマトリックス]プレートとして有用である。本発明では、各貫通穴ウェルを、プレート中の他の貫通穴ウェルと光学的に区別することができる。
【背景技術】
【０００２】
液体溶液中のアッセイ又は検体サンプルを保持するためのプレート又はトレーは、一般に、二種の異なるタイプのデバイスのいずれかに分類することができる。その１つのタイプは、アッセイ又は検体を処理している最中にそれらを保持する、底を持った凹み又はウェルが形成されたものである。他のタイプは、液体アッセイ又はサンプルを、処理の間、貫通穴ウェル中に保持するのに、表面張力に依存する貫通穴が組み込まれているタイプである。例えば、Schellenberger他の"Multi-Through Hole Testing Plate for High Throughput Screening"と題される発明に対して発行された米国特許第6,027,873号は、この第２のタイプの保持又は試験プレートについて開示している。しかしながら、両タイプの保持プレートが、それぞれ、利点及び不利点を有することは驚くべきことではない。
【０００３】
貫通穴ウェルを有する保持プレートに関してそれらが有する１つの利点は、容易にそれらを満たすことができることである。特に、これは、単に、保持プレートの表面を、分析しようとする溶液に浸漬するだけで達成することができる。貫通穴ウェルは、毛細管作用により溶液で満たされるのである。そして、これは、非常に多数の比較的少容量の液体サンプルを同時に調製し、にもかかわらずそれらを個々にアッセイすることができるという他の利点を生じる。
【０００４】
上述したように、それらの利点に加え、サンプル保持プレートには、それらの欠点も存在する。特に、現在入手可能な、貫通穴ウェルを有する保持プレートには、ある大きな欠点が存在する。この欠点は、現在入手可能な保持プレートの貫通穴ウェルが、一般的に、5：1より小さいアスペクト比（即ち、ウェルの長さの内径に対する比）を有する事実から生じている。従って、貫通穴ウェル中の液体サンプルの無視できない部分が、外環境に露出されている。この結果、そのようなプレートは、蒸発のため、比較的に短時間（例えば、数分又は数時間）の間でのみ効果的に溶液サンプルを保持することができる。本発明は、5：1より大きいアスペクト比を有する貫通穴ウェルが蒸発の影響を効果的に減少させることを認識したものである。
【０００５】
上記した利点に加え、保持プレートの全てのタイプに望まれる特質は、それらが、そのプレートによって保持されているアッセイ（サンプル）を適切に処理する能力を備えていることである。特に、場合によっては、そのプレートによって保持されている間に起こるサンプルの変化を観察することが望まれるか、あるいは必要であることがある。しかしながら、そのような変化は、数日又はそれ以上の時間が必要とされる場合がある。特に貫通穴ウェルを有する保持プレートの場合、使用される観察手法は、効果的に、プレート中の溶液サンプルの少容量、及び、保持プレートにおけるそれらの互いの厳密な隣接関係を明らかにするものでなければならない。光学的手法がそのような目的のために利用される場合、保持プレートの個々の貫通穴ウェルはまた、光学的に区別することができるものでなければならない。
【発明の開示】
【発明が解決しようとする課題】
【０００６】
上記を鑑みた場合、比較的高いアスペクト比（例えば、5：1より大きい）をもち１日あたりの蒸発量を溶液サンプルのおよそ5%に制限する貫通穴ウェルを有するギガマトリックス保持プレートを提供することが本発明の１つの目的である。本発明の他の目的は、個々の貫通穴ウェルを光学的に区別することができるギガマトリックス保持プレートを提供することである。本発明の更なる目的は、多数の少容量サンプルを保持するための、使用が簡単で、比較的簡単に作製でき、比較的経費効果的なギガマトリックス保持プレートを提供することである。
【課題を解決するための手段】
【０００７】
本発明によれば、多数の比較的少容量の液体サンプルを保持するためのギガマトリックスプレートは、第１の表面と、それに対して実質的に平行である反対側の第２の表面を有するベースを含む。両端の開いた毛細管が、ベースの第１の表面と第２の表面の間でベースを貫通して延び、複数の実質的に平行な貫通穴ウェルを形成している。本発明から分るように、本ギガマトリックス保持プレートは、1000よりもっと多くのそのような貫通穴ウェルを有することができる。
【０００８】
本発明の保持プレートの各管は、管腔を画定する内表面を有する。更に、この管腔は、その管のための１本の縦軸を定義する。重要なこととして、各管は、約5：1より大きいアスペクト比（即ち、管の長さに対する管腔の直径の比）を有する。そのようなアスペクト比のパラメーター内において、各管の管腔は、およそ500ミクロン未満の内径、及びおよそ5ミリメーターより長い長さを有することになる。
【０００９】
本発明のもくろみは、プレートが、複数の毛細管のそれぞれの中にサンプルを保持するために使用されること、これらのサンプルが、適切な条件下で蛍光発光することである。これを念頭に置くと、管腔中のサンプルが励起されて蛍光発光する場合は何時でも、各管が、保持プレート中の他の管を独立してまた光学的に区別することができるように保持プレートを構築することが本発明の重要な側面である。
【００１０】
保持プレート中の各管の構造はスリーブガラスからつくることができ、このスリーブガラスは間質材の中に包埋されて、保持プレートの異なる管がベース上で１つに保持される。各管に対して、スリーブガラスが、その管の管腔を囲んでいる。本発明の１実施形態において、スリーブガラス自体は、サンプルから管に向かう蛍光の殆どを吸収する黒色の過剰壁吸収[extra mural absorption]（EMA)ガラスにより囲まれている。他の実施形態において、スリーブガラス自体は熱処理されて、実質的に不透明となり、その結果、上述した目的に対して光吸収性となる。更に他の実施形態では、スリーブガラスと間質材は同じであることができる。更に、この最後の実施形態におけるガラスは、透明なガラスであってもよいが、各管を光学的に区別することができるようにする屈折特性を有しているべきである。
【００１１】
本発明のさらなる態様では、各管腔の表面をコーティングして、管の毛細管作用を調節すること、あるいは管腔に表面化学を施すことができる。また、必要に応じて、ベースを配置及び位置調整するために、参照用しるしをプレートのベース上に設けることができる。
【発明を実施するための最良の形態】
【００１２】
本発明の新規な特徴ならびに本発明それ自体は、その構造及びその操作の両方に関して、付随する記載と一緒にして付随する図面から最もよく理解されるであろう。図面では、類似する参照番号は、類似する部分を指す。
【００１３】
先ず図１を参照すると、本発明によるギガマトリックスプレートが図示されており、全体が10と示されている。図示するように、プレート10は、概して平坦な上部表面14及び、やはり概して平坦な反対側の下部表面16を有するベース12を含む。図１に示す凹み18a又は凸起18bのような参照用しるしは、その使用の間必要に応じ、プレートを正しい方向に置いたり、位置調整するために利用することができる。しかしながら、最も大事なことは、プレート10は、上部表面14及び下部表面16間のベース12を貫通して延びる複数の貫通穴ウェル20を有するように形成されていることである。本発明から分るように、これらの貫通穴ウェル20は、全て互いに実質的に平行であり、それらは、表面14及び16の１平方ミリメーターあたりおよそ２つの貫通穴ウェル20密度を有している。
【００１４】
プレート10を複数の貫通穴ウェル20を有するように形成することは、本発明の重要な側面である。本発明にとって、この数は、そのようなウェルの1,000個又はそれ以上を含んでいてもよい。構造的に、貫通穴ウェル20は、好ましくは、以下の三つの可能な実施形態のいずれかである。最初のそのような実施形態は、図２Ａに貫通穴ウェル20'として示され、内壁26の内表面24により囲まれるとともにそれにより画定される管腔22を有するように形成される。更に、貫通穴ウェル20'（図２Ａ）は、内壁26を囲む外壁28を含む。第２の実施形態は、図２Ｂに貫通穴ウェル20"として示されているように、外壁28がない。これらの構造の相違は、以下に更に詳しく開示されるように、内壁26により発現されるその光学的特性から生じるものである。これらに関係なく、これら両実施形態に対して、プレート10は間質材30を含み、この間質材の中に貫通穴ウェル20'（又は20"）が包埋され、プレート10の他の貫通穴ウェル20と一緒にベース12中に保持される。三番目の実施形態では、内壁26、外壁28及び間質材30がすべて同じものであり得る。
【００１５】
上述したように、貫通穴ウェル20についての、各実施形態間の相違は、それぞれの内壁26の光学的性質によるものである。貫通穴ウェル20'（図２Ａ）にとって、内壁26は、好ましくは、その関連技術分野においてよく知られたタイプのスリーブガラスで作製される。しかしながら、このスリーブガラスだけでは、プレート10に望まれる光吸収特性を有していないかもしれない。もしそうならば、外壁28を付加して使用することで所望の結果を達成することができる。この目的のためには、外壁28は、好ましくは、過剰壁吸収（EMA）ガラスで作製する。一方、貫通穴ウェル20"（図２Ｂ）に対しては、内壁26を、加熱処理すると実質的に不透明になるスリーブガラスで作製することができる。これら２つの例のいずれにおいても、貫通穴ウェル20（20'又は20"のいずれか）が、プレート10中の隣接する貫通穴ウェル20間の「クロストーク」（即ち、光干渉）を最小限に抑える光吸収特性をもっていることが好ましい。更に、内壁26、外壁28及び間質材30が全て同じものである場合、その物質の屈折特性を、貫通穴ウェル20の個々の管腔22を、保持プレート10の物質から光学的に区別することができるようにしておくことが重要である。
【００１６】
寸法的に、プレート10の貫通穴ウェル20は、いくつかの特徴ある側面を持っている。全体で、特に重要な２つの優先する側面がある。第１の側面は、貫通穴ウェル20が、ウィッキング[wicking：毛細管搬入]作用により効果的に満たすことのできる毛細管として機能することである。第２の、同じくらい重要な側面は、貫通穴ウェル20を、蒸発量が最小限に抑えられるような構造にすることである。本発明のプレート10にとって、これら両側面は、貫通穴ウェル20の構造を適切なサイズにすることにより解決される。
【００１７】
図２Ａ及び２Ｂと図３Ａ及び３Ｂを交互に参照することによりおそらく最もよく理解されるように、貫通穴ウェル20は、好ましくは、円筒形状であり、縦軸32（図３Ａ）を定義する。しかしながら、貫通穴ウェル20の横断面は、楕円又は長方形であってもよい。このような構造を以って、各貫通穴ウェル20は、ある長さ34及びある内径36を有する。特に、内径36は管腔22の直径である。重要なこととして、これらの寸法は、あるアスペクト比「A」を定義し、貫通穴ウェル20にとってのそれは、その長さ34のその直径36に対する比である。本発明が意図するように、「A」は、およそ5：1より大きく、30：1又はそれ以上であってもよい。「A」に対するこれらのパラメーターの値の範囲内において、長さ34は、好ましくは、およそ5〜10ミリメーターの範囲内とし、貫通穴ウェル20の内径36は、好ましくは、およそ500ミクロン未満とする。
【００１８】
本発明に従ったギガマトリックスプレート10の作製は、例えば図４に示すような１本の細長い光ファイバー38を準備することにより始められる。具体的には、光ファイバー38は、初期の長さ40を有し、スリーブガラスの同心円状の層により囲まれた円筒形状のコアガラス42を含んでいる。より具体的には、このスリーブガラスは、最終的には貫通穴ウェル20の内壁26を構成することになる。図５に示すように、外壁28（使用される場合）、及び間質材30は、全ての例において光ファイバー38の中に含まれる。
【００１９】
光ファイバー38が選ばれると、当技術分野で周知の方法により引き伸ばされて、ある長さ44を有する光ファイバーがつくられる。図４と図５を比較することにより理解されるように、長さ44は、長さ40よりもかなり長い。引き伸ばされた光ファイバー38（図５）は、複数のセクション46に切られる。セクション46a、b、c、......、w及びxは単なる例示にすぎない。次に、個々のセクション46は１つに積み重ねられて、いわゆるマルチ48がつくられる。図６Ａと図６Ｂの比較により最もよく分るように、セクション46は、例示のマルチ48a及び48bについて示されているように、実質的に平行配列で１つに積み重ねられる。マルチ48ができると、それらは、矢印50で示されるように１つに押圧され、加熱されて間質材が融合される。マルチ48a及び48bのみが図６Ａに示されているが、多くのそのようなマルチ48を１つに融合することができることは理解すべきである。また、その工程は繰り返すことにより、マルチ-マルチをつくることもできる。どのようにマルチ48が作製されようとも、結果として、プレート10の前駆体となるユニットアセンブリ52が得られる。
【００２０】
複数のマルチ48が１つに押圧されると、結果として得られるユニットアセンブリ52は注意深く加熱されて、隣接するセクション46間の間質材が溶融する。例えば、ユニットアセンブリ52中の物質が構造的な損傷を受けないように、この加熱は、比較的ゆっくりと行ってもよい。特に、これは、セクション46を、一体化ユニットアセンブリ52へと結合するのに行われる。冷却後、ユニットアセンブリ52は切断され、研摩されて、セクション46のそれぞれに対して実質的に同じ所定長さが達成される。この結果として、プレート10の表面14及び表面16が、それらの間である距離（好ましくは、約6ミリメーター）を置いてつくられる。
【００２１】
本発明のギガマトリックスプレート10の作製における１つの重要なステップは、ユニットアセンブリ52が切断され、その表面14及び表面16が研磨により滑らかにされた後、アセンブリ52全体を酸浴（図示されていない）の中に浸漬することである。これは、特に、ユニットアセンブリ52からコアガラス42をエッチングングしてギガマトリックスプレート10をつくるのに行われる。貫通穴ウェル20"がEMAガラスでできた外壁28を含まないプレート10の実施形態に対しては、プレート10の作製における最終ステップにおいて、プレート10を熱処理して内壁26のスリーブガラスを実質的に不透明にすることができる。
【００２２】
使用においては、プレート10の表面14及び表面16が、液体溶液56中のサンプル54を保持している容器（図示されていない）の中に浸漬される。本発明で意図されているように、この動作は、毛細管作用によりサンプル54を液体溶液56と一緒に貫通穴ウェル20の中にウィックする。そのあと、サンプル54は貫通穴ウェル20中に保持され、続いてアッセイされる。プレート10の貫通穴ウェル20のためにつくられたアスペクト比「A」は、蒸発量を最小限に抑えるように機能すると考えられるが、本発明のこの特徴は、補完することができる。具体的には、図３Ｂに示すように、キャップ58を使用して、貫通穴ウェル20を覆うことができる。別法として、膜（図示されていない）をこの目的のために使用することができる。また、ワックス又は高蒸気圧の液体60を貫通穴ウェル20の中に入れて蒸発を遅延させることもできる。更に、液体溶液56の蒸発量を更に減少させるための明らかなステップは、プレート10を加湿環境に置くことである。
【００２３】
本発明で開示したプレート10の構造により、サンプル54を何らかの方法で励起して蛍光発光させることができる場合、別々の貫通穴ウェル20に在る個々のサンプル54を検出することができる。具体的には、外壁28、又は適切に加熱処理された内壁26の光吸収特性により、各貫通穴ウェル20（毛細管）は、光通路として機能する。一方、程度は低いが、保持プレート10の材質は、それ自体で、プレート10中の個々の管腔22を光学的に区別することを可能とするような屈折特性を有することができる。図３Ａに戻ってみるに、サンプル54によって蛍光が発せられ、管腔22の内表面24に向かって進むとき、（例えば、矢印62で示すように）、その光は、外壁28によって屈折する。これに関する１つの重要な結果は、この屈折した光は、サンプル54から発せられ、軸32に沿って進む光と区別することができ、貫通穴ウェル20から出てくる（例えば、矢印64により示されるように）。次にこの光を使ってサンプル54を光学的に検出することができる。また、この光は、サンプル54が入っている特定の貫通穴ウェル20を、隣接する貫通穴ウェル20と光学的に区別するのに十分である。
【００２４】
本明細書に図示され、詳細に開示されたこの特定の「貫通穴ウェルを有するギガマトリックス保持トレー[GigaMatrix Holding Tray Having Trough-Hole Walls]」は、ここまでに記載した目的を十分達成することができるしまたここまでに記載した利点を十分提供することができるが、そらは単に現時点で好ましいとされる本発明の実施形態を説明するものであり、また特許請求の範囲に記載されたもの以外に本発明で図示された構造又はデザインの詳細について限定することを意図するものではないことを理解すべきである。
【図面の簡単な説明】
【００２５】
【図１】図１は、本発明に従ったギガマトリックスプレートの斜視図である。
【図２】図２Ａは、本発明のための貫通穴ウェルの１実施形態を示すギガマトリックスプレートの一部の上面図である。図２Ｂは、貫通穴ウェルの別の実施形態を示すギガマトリックスプレートの一部の上面図である。
【図３】図３Ａは、図１のライン3-3に沿って見た場合の図２Ａに示す貫通穴ウェルの断面図である。図３Ｂは、図１のライン3-3に沿って見た場合の図２Ｂに示す貫通穴ウェルの断面図である。
【図４】図４は、本発明のギガマトリックスプレートのための貫通穴ウェルの作製における使用に適した光ファイバーの斜視図である。
【図５】図５は、図４に示す光ファイバーを引き伸ばした斜視図である。
【図６】図６Ａは、図５に示す引き伸ばした光ファイバーのセクションを積み重ねることにより作られたマルチの斜視図である。図６Ｂは、本発明のギガマトリックスプレートの作製に使用される集合されたマルチの斜視図である。
【図１】
2005518533.tif 000003
【図２】
2005518533.tif 000004
【図３】
2005518533.tif 000005
【図４】
2005518533.tif 000006
【図５】
2005518533.tif 000007
【図６】
2005518533.tif 000008
【国際調査報告】
2005518533.tif 000009
2005518533.tif 000010
2005518533.tif 000011